【事件の表示】
　平成１１年特許願第１１１８６５号「遊技媒体計数装置」拒絶査定不服審判事件〔平成１１年１１月２４日出願公開、特開平１１−３１９２９８〕について、次のとおり審決する。
【結　論】
　本件審判の請求は、成り立たない。
【理　由】
１．手続の経緯・本願発明
　本願は、平成４年４月２１日の出願である実願昭４−２５５６８号の考案の一部を分割した実願昭９−６４９７号を特許出願に変更し、更にその発明の一部を分割したものであって、その請求項１、２に係る発明は、明細書及び図面の記載からみて、本願の特許請求の範囲の請求項１、２に記載されたとおりのものであるところ、請求項１に係る発明は次のとおりのものと認められる。
「【請求項１】パチンコ球等の遊技媒体が返却される際、この遊技媒体を計数する遊技媒体計数装置であって、当該遊技媒体計数装置は、上方に向けて開口し遊技媒体が返却される返却口と、当該遊技媒体計数装置が使用可能状態の時、前記返却口に対する遊技媒体の返却を許容する共に、当該遊技媒体計数装置が使用禁止状態の時、前記返却口の全てを覆うことなく前記返却口に対する遊技媒体の返却を規制する返却規制部材と、を具備したことを特徴とする遊技媒体計数装置。」（以下、「本願発明」という。）
　　
２．引用例
　これに対して、原査定の拒絶の理由に引用された、特開平４−３０８７６号公報（以下、「引用例」という。）には、
「１．パチンコ機等を多数並設して構成した島のほぼ中央部にパチンコ機１台分のスペースを設け、該スペース内の上部に、計数表示部、各種のメッセージ表示部、積算ボタン、レシートや穿孔テープ・カードの発行機などを、下部に景品玉投入部などをそれぞれ配備して構成したことを特徴とするパチンコ島等の景品玉計数装置。
２．景品玉投入部には開閉自在のシャッタを取り付けた請求項１記載のパチンコ島等の景品玉計数装置。
３．計数表示部、各種のメッセージ表示部、積算ボタン、レシートや穿孔テープ・カードの発行機、景品玉投入部などを扉式で前方側に開閉自在にしてなる請求項１記載のパチンコ島等の景品玉計数装置。」（特許請求の範囲）、
「該計数装置Ｂは、前記パチンコ機ａと略同じ大きさとなる４角状の取付枠１４を前記スペース内に取り付け、該取付枠１４の内方上下には、横端部をヒンジ１５１５を介して枢着した上部開閉扉１６と下部開閉扉１７とをそれぞれ前方に開くことができるよう開閉自在に取り付け、上部開閉扉１６には、計数表示部１、例えば「計数中」とか「計数中止」あるいは「このカウンタは使用できないので、他の場所をご利用下さい」などの各種の表示をその動作状態に応じて行う各種のメッセージ表示部２、精算ボタン３、レシートや穿孔テープ・カードの発行機４などを装備し、下部開閉扉１７には、開閉自在のシャッタ６、玉箱開閉レバー１８、計数レール１９、排出口２０などを有する箱形の景品玉投入部５を装備して構成する。」（２ページ左下欄１１行〜同右下欄５行）、
「当景品玉計数機は、計数表示部１、精算ボタン３、発行機４などが客の目の高さとなって一層操作しやすくなっている。通常２には「計数中」等の表示がされており、客が投入部５に景品玉を投入すると投入した玉数がリアルタイムで計数表示部１に表示される。・・・島Ａ内の玉保有量が規定量以上に達している場合は、表示部２に「計数中止」とか「このカウンタは使用できませんので、他の場所をご利用下さい」と表示してシャッタ６を閉じ、客が持ってきた玉を計数中止の景品玉計数機に流すことを防止している。この状態で、島Ａ内の玉保有量が下がってくると、メッセージが「計数中」に変り、シャッタ６が再び開いた通常状態に戻る。」（２ページ右下欄１５行〜３ページ左上欄１４行）、
　が図面と共に記載されており、以上の記載によれば引用例には、
「景品玉を投入する景品玉投入部５と、島Ａ内の玉保有量が規定量以上に達している場合は閉じる、開閉自在の扉式のシャッタ６と、客の目の高さに「計数中」とか「計数中止」あるいは「このカウンタは使用できないので、他の場所をご利用下さい」などの各種の表示をその動作状態に応じて行うメッセージ表示部２と、を具備するパチンコ島等の景品玉計数装置。」
　が記載されていると認められる。（以下、「引用発明」という。）
　
３．対比
　本願発明と引用発明とを対比すると、上記引用発明の「景品玉」、「景品玉投入部５」、「シャッタ６」と「メッセージ表示部２」、「景品玉計数装置」は、本願発明の「遊技媒体」、「返却口」、「返却規制部材」、「遊技媒体計数装置」に各々相当するものと認められる。そして、引用発明の「景品玉投入部５」は、引用例の第１、３図の記載からみて上方に開口しているものと認められる。また、引用発明の「シャッタ６」が「島Ａ内の玉保有量が規定量以上に達している場合」は、本件発明における「当該遊技媒体計数装置が使用禁止状態の時」であるから、両者の一致点及び相違点は、次のとおりと認められる。
　一致点・・・パチンコ球等の遊技媒体が返却される際、この遊技媒体を計数する遊技媒体計数装置であって、当該遊技媒体計数装置は、上方に向けて開口し遊技媒体が返却される返却口と、当該遊技媒体計数装置が使用可能状態の時、前記返却口に対する遊技媒体の返却を許容する共に、当該遊技媒体計数装置が使用禁止状態の時、前記返却口に対する遊技媒体の返却を規制する返却規制部材と、を具備したことを特徴とする遊技媒体計数装置である点。
　相違点・・・本願発明の返却規制部材は、当該遊技媒体計数装置が使用禁止状態の時、前記返却口の全てを覆うことなく前記返却口に対する遊技媒体の返却を規制するもの、であるのに対し、引用発明のシャッタ６は景品玉投入部５の全てを覆い、客の目の高さにはメッセージ表示部２を設けている点。
　
４．当審の判断
　上記相違点について検討する。
　機器の使用禁止状態等を利用者にわからせるために、その機器を利用する者が実際に操作や媒体の挿入等をおこなう当該機器の人間とのインターフェイス部分に、使用禁止等と書いた札や紙など（以下、「札等」という。）を置いて、その利用を規制することは日常的に広く一般的に行われていることであり、本願発明のような遊技媒体計数装置の返却口にこのような札等を置くことも当業者が適宜行えることである。また、このような札等はその表示によって使用禁止などの状態を利用者にわからせるものであるので、本願発明のような遊技媒体計数装置に適用する場合、返却口全体を閉じるものではなく、遊技媒体の返却があったとしてもそれを妨げないものであり、機器が利用できる状態になり札等が取り払われれば、その利用を規制するものでなくなるものであることは明らかである。そうすると、このような返却口に置くような札等は本件発明における「返却規制部材」に相当するものと認められる。
　そして、一般的に表示のために札等を機器に設け、その機器の状況に応じて該札等を自動的に出し入れすることも周知である（アミューズの分野でも、実願平２ー７０５４１号（実開平４−２７９８０号）のマイクロフィルム、特開平４−５１９８１号公報参照）。
　そうすると、本願発明は、このような周知の札等を上記引用発明の景品玉投入部５の全てを覆うシャッタ部材６及びメッセージ表示部２に代えて、返却規制部材として機器に備え、当該遊技媒体計数装置が使用禁止状態の時、前記返却口の全てを覆うことなく前記返却口に対する遊技媒体の返却を規制するものとしただけのことであり、当業者が格別な創意工夫を要したものということはできない。
　また、本願発明のように構成することによって、格別な効果を奏するようになったものとすることもできない。
　
５．むすび　　
　したがって、本願発明は、引用発明および周知の事項に基づいて、当業者が容易に発明をすることができたものであるから、特許法第２９条第２項の規定により、特許を受けることができない。
　よって、結論のとおり審決する。